(57)【要約】【課題】  側溝用ブロックの上壁、両側壁、底壁が一体でありながら、底壁に勾配を形成できるものを提供する。【解決手段】  側溝用ブロック１の上壁２に開口部６及びスリット５を設け、開口部６からコンクリート２０を投入後、均し用治具１０の柄１１をスリット５に沿わせながらインバートコンクリート２０を打設していく。インバートコンクリート２０の勾配は、均し用治具１０の柄１１に付した目印１３を張線８に合わせながら形成する。【選択図】  図３
2005248595.tif 000002
【特許請求の範囲】
【請求項１】
上壁、両側壁、底壁で一体形成された側溝用ブロックであって、
前記上壁には均し用治具の柄を通し、これを長辺方向へ移動可能とするスリットと、
インバートコンクリートを流し込むための開口部とが形成されている、
ことを特徴とする側溝用ブロック。
【請求項２】
前記スリットは長辺方向へ連続し、かつ前記開口部と連通している、ことを特徴とする側溝用ブロック。
【請求項３】
請求項１又は２に記載の側溝用ブロックの底壁にインバートコンクリートを打設する方法であって、
前記開口部よりコンクリートを投入するステップと、
前記均し用治具の柄を前記スリットへ通すステップと、
前記スリットから突出する前記柄の長さを調整することにより、前記インバートコンクリートの勾配を調整するステップ、
とを含む、インバートコンクリートの打設方法。
【発明の詳細な説明】
【技術分野】
【０００１】
本発明は側溝用ブロックに関する。また、当該側溝用ブロック内でのインバートコンクリートを打設する方法に関する。
【背景技術】
【０００２】
路面上の雨水を集水し排水する側溝用ブロックとして、均一勾配で用いる側溝用ブロックと自由勾配で用いる側溝用ブロックとがある。均一勾配で用いる側溝用ブロックは排水量が少ない場合、排水効果を期待できないが、自由勾配側溝用ブロックは底壁に勾配を付けるため、効率的に排水を逃がすことができる。
【０００３】
勾配を形成するためのインバートコンクリートの打設する方法として、U字側溝用ブロックを敷設後、設計に合わせて作業者が側溝内を覗き込みながら墨つぼを使用して側壁の内面に墨線を描き、この墨線を目安として、この墨線と一致するようにインバートコンクリートを形成する方法がある。また、特許文献１のように、基礎板材を敷設し、前記基礎板材にモルタルを盛付し、モルタルの硬化前にこの上にインバート版を勾配に合わせて形成し、その後逆U字型側溝ブロックがインバート版を跨ぐ形で配置する方法もある。
【０００４】
【特許文献１】特開平７−１８９３３１
【発明の開示】
【発明が解決しようとする課題】
【０００５】
しかしながら、U字側溝用ブロックは、両側壁にかかる応力に耐えるため、両側壁を厚肉に形成する必要があり、かえってコスト高になるという問題が生じていた。
また、インバート版に逆U字型側溝ブロックを跨ぐ方法では、インバート版により勾配を形成後、基礎板材に逆U字型側溝ブロックを配置させた上で接合させるため、現場作業に手間がかかり、施工コストが嵩んでしまう。
【０００６】
一方、側溝用ブロック敷設時の作業効率の良さから上壁、底壁、両側壁が一体となり、上壁には排水用のスリットを有する側溝用ブロックも登場しているが、これは構造上の問題から側溝用ブロック内で勾配を形成することはできない。そのため、斜面の道路に側溝用ブロックを敷設することで勾配を形成し雨水を排水させるか、均一勾配下で敷設した場合にはある程度の排水量を確保できたときだけ排水効果を有するため汎用性に乏しいという課題がある。
【課題を解決するための手段】
【０００７】
本発明は以上のような課題を解決するためになされたものである。即ち、上壁、両側壁、底壁で一体形成された側溝用ブロックであって、前記上壁には均し用治具の柄を通し、これを長辺方向へ移動可能とするスリットとインバートコンクリートを流し込むための開口部とが形成されている、ことを特徴とする側溝用ブロック。
【発明の効果】
【０００８】
上記のように構成された本発明の側溝用ブロックによればインバートコンクリートを打設する際、
開口部よりコンクリートを投入し、
均し用治具の柄をスリットへ通し、
スリットから突出する均し用治具の柄の長さを調整することにより、投入したコンクリートの勾配を形成することができる。
【０００９】
従って、従来のように現場での基礎板材と側溝用ブロックを接合させる手間もなく、側溝用ブロックを敷設する作業が容易となる。
また、従来のように側溝内を覗き込みながら墨線を付してインバートコンクリートを形成していくこともなく、地上にいながらスリットより突出する均し用治具の柄の長さを調整することで側溝内の勾配を形成することができるため、インバートコンクリートを容易に打設できる。
【発明を実施するための最良の形態】
【００１０】
以下に、本発明の実施例を説明する。
【実施例１】
【００１１】
図１に実施例の側溝用ブロックの斜視図を示す。この側溝用ブロック１は上壁２、両側壁３、底壁４が一体で形成される。
図２に上壁２の形状を示す。上壁２は長辺方向のスリット５と開口部６を有する。スリット５の形状は均し用治具１０の柄１１を通せるものであれば特に限定されないが、その幅は、柄１１の径よりも少し長くすることが好ましい。これは、スリット５に均し用治具１０の柄１１のガイドをさせつつ、ごみの落下を防止するためである。また、スリット形状は連続する場合の他、図２(ｂ)や(ｃ)のように均し用治具１０の操作に支障の生じない程度にスリットの一部を閉鎖状態とすることもできる。その結果、側溝用ブロックの機械的剛性を強化できるため、側壁の厚さを薄くできる。したがって、側溝用ブロックの軽量化、低コスト化を図ることができる。
スリット閉鎖部７のスリット長辺方向の長さは、均し用治具の下部プレート１２の同方向の長さよりも短くする。これにより、スリット閉鎖部７の下方にあるインバートコンクリート２０の打設作業を容易にできる。
【００１２】
スリット５は上壁２の中央にその長辺方向へ連続して形成される。これにより、側溝用ブロック１の底面の全域へ均し用治具１０の下部プレート１２を当て付け易くなり、インバートコンクリート打設作業の効率が向上する。また、上壁２が広幅なものの場合は、スリット５を２条以上形成することもできる。
側壁３及び底壁４の形状及び厚さは側溝用ブロック１の用途に応じて任意に設計することができる。また、その中に鉄筋等の補強部材を埋設することも可能である。
底壁４には凹部、貫通穴、有底溝、スリットを形成することができる。これにより、側溝用ブロック１の軽量化を図ることができる。また、インバートコンクリートがこれらへ回り込むことにより、インバートコンクリート２０と底壁６との一体性が向上する。
【００１３】
開口部６は、側溝用ブロック敷設時にコンクリートの投入及び均し用治具の挿入に使用されるため、作業に適した大きさとなる。敷設後は用途に応じた形状の蓋をして管理溝の役割を果たす。なお、開口部６は上壁２の任意の位置に形成することができる。例えば、図２（ｃ）（ｄ）に示す例では、上壁２の端部に開口部６を形成した。また、開口部６の形状は任意であり、矩形の他、多角形、丸型、楕円形等を採用することができる。
このような構成の側溝用ブロック１は汎用的なコンクリート材料により、型形成される。
【００１４】
図３に本発明に係る側溝用ブロック１内でのインバートコンクリート打設方法を示す。開口部６からインバートコンクリート２０を投入した後、均し用治具１０の下部プレート１２を開口部６から挿入する。均し用治具１０の柄１１の部分をスリット５へ通し、それに沿わせながら、インバートコンクリート２０を押したり引いたりして移動させ、インバートコンクリート２０の打設をしていく。
【００１５】
側溝用ブロック１内に勾配を形成する際、底壁２のインバートコンクリート２０の厚さを調整する必要がある。そのため、図４(a)のように側溝用ブロック１の上方に張線８を張る。一方、図４(b)のように均し用治具１０にはあらかじめ基準となる目印１３を付しておく。そのうえで、目印１３を張線８に合わせながら均し用治具１０を押し進め、インバートコンクリート２０の勾配を形成していく。この方法によれば、側溝内へ墨線を描いてこれを基準にインバートコンクリートの勾配を形成していた従来に比べて、側溝用ブロック外の見やすいところに基準を設けることができるので作業性が向上する。もって、インバートコンクリート２０へより正確に（設計通り）勾配を形成することができる。
【実施例２】
【００１６】
次に張線を張れない場所でのインバートコンクリート打設方法を示す。
図５に示すように均し用治具１０の柄１１の部分にあらかじめメモリ１４を付しておく。開口部６から均し用治具１０の下部プレート１２を挿入し、均し用治具１０の柄１１をスリット５に沿わせながらコンクリート打設していく。その際、均し用治具１０の柄１１がスリット５より外部に突出しているため、メモリ１４を目安としながらインバートコンクリートの勾配を形成していくことができる。実施例１と同様に外の見やすいところに基準を設けることができるので作業性が向上する。
【００１７】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【００１８】
【図１】図１は、本発明に係る側溝用ブロックの斜視図である。
【図２】図２は、側溝用ブロックの上壁の平面図である。
【図３】図３は、インバートコンクリートによる勾配形成方法を示す斜視図である。
【図４】図４は、インバートコンクリート打設作業を示す断面図と、均し用治具の柄の拡大図である。
【図５】図５は、インバートコンクリート打設作業を示す断面図と、均し用治具の柄の拡大図である。
【符号の説明】
【００１９】
１  側溝用ブロック
２  上壁
３  側壁
４  底壁
５  スリット
６  開口部
７  スリット閉鎖部
８  張線
１０  均し用治具
１１  柄
１２  下部プレート
１３  目印
１４  メモリ
２０  インバートコンクリート
【図１】
2005248595.tif 000003
【図２】
2005248595.tif 000004
【図３】
2005248595.tif 000005
【図４】
2005248595.tif 000006
【図５】
2005248595.tif 000007